(57)【要約】【課題】炎を消した時に生ずる異臭の気散を抑制することができるロウソク用の消臭剤、及びこの消臭剤を配合した低臭気ロウソクを提供する。【解決手段】この消臭剤は、α‐テルピネオール（成分ａ）、フェニルエチルアルコール（成分ｂ）、リモネン（成分ｃ）、ベンズアルデヒド（成分ｄ）、ゲラニオール（成分ｅ）及びサリチル酸メチル（成分ｆ）を含み、成分ａ：ｂ：ｃ：ｄ：ｅ：ｆの重量割合は５〜２５：４〜２４：４〜２０：３〜１５：１〜２０：３〜１６であることが好ましい。これら成分ａ〜ｆの少なくとも一つとして植物精油を使用してもよく、植物精油としては、オレンジ油、パイン油、チュベローズ花精油、ビターアーモンド油、ローズ油、アカシア油、シトロネラ油、ジャスミン油が使用できる。本発明の低臭気ロウソクは、上述の消臭剤をロウソク形成用成分に配合することによって製造される。【選択図】　なし【特許請求の範囲】
【請求項１】
成分ａ：α‐テルピネオール、成分ｂ：フェニルエチルアルコール、成分ｃ：リモネン、成分ｄ：ベンズアルデヒド、成分ｅ：ゲラニオール、及び成分ｆ：サリチル酸メチルを含むことを特徴とするロウソク用消臭剤。
【請求項２】
前記成分ａ、成分ｂ、成分ｃ、成分ｄ、成分ｅ及び成分ｆが、当該消臭剤中にそれぞれ５〜２５重量％、４〜２４重量％、４〜２０重量％、３〜１５重量％、１〜２０重量％及び３〜１６重量％の重量割合で含有されていることを特徴とする請求項１に記載のロウソク用消臭剤。
【請求項３】
前記成分ａ〜成分ｆの少なくとも一つとして、植物精油を使用することを特徴とする請求項１又は２に記載のロウソク用消臭剤。
【請求項４】
前記植物精油が、オレンジ油、パイン油、チュベローズ花精油、ビターアーモンド油、ローズ油、アカシア油、シトロネラ油およびジャスミン油からなる群から選択される１種または２種以上であることを特徴とする請求項１〜３のいずれか１項に記載のロウソク用消臭剤。
【請求項５】
保留剤を３〜４０重量％の重量割合にて含むことを特徴とする請求項１〜４のいずれか１項に記載のロウソク用消臭剤。
【請求項６】
前記保留剤が、フタル酸ジエチル、フタル酸ジメチル、ベンジルベンゾエート及びジプロピルグリコールからなる群より選択されたものであることを特徴とする請求項５に記載のロウソク用消臭剤。
【請求項７】
ロウソクのロウ部分に、請求項１〜６のいずれか１項に記載の消臭剤が配合されていることを特徴とする低臭気ロウソク。
【発明の詳細な説明】
【０００１】
【発明の属する技術分野】
本発明は、炎を消したときに生ずる異臭（消し匂い）の気散を抑制することができるロウソク用の消臭剤、及びこの消臭剤を配合したロウソク（低臭気ロウソク）に関する。
【０００２】
【従来の技術】
一般に、ロウソクは、炎を消すと白いもや状の煙と一緒に特有の異臭が出る。この異臭は、パラフィンワックスが炎によって融解し、気化する量が過剰になることによって生じるものと考えられている。ロウソクの炎を消した際に生じる異臭は鼻をつき、気分を不快にさせる原因となることから、これまで、このような問題点の改善が要望されてきた。
【０００３】
【特許文献１】
特開２０００−２３９６９４号公報
【特許文献２】
特開２００１−１０７０７７号公報
【０００４】
そこで、最近では、前記特許文献１に、酸化ケイ素を主成分とする多孔質物質に香料物質を担持させた香料担持体が配合された芳香性ロウソクが開示されており、又、前記特許文献２には、テトラヒドロ　メチルアビエテート　アンド　ジヒドロ　メチルアビエテート、イソプロピル　ミリステート等が添加混合されたロウソクが開示されている。
しかしながら、前記特許文献１記載のロウソクの場合には、担持体の開口がほぼ均一であることが必要であり、担持される香料物質の種類に応じて開口径及び開口深さを選択する必要もあり、担持体の香料吸着力が大きすぎると消臭効果が小さくなり、逆に担持体の香料吸着力が小さすぎると長期にわたって消臭効果が維持できないという問題点があった。又、前記特許文献２記載のロウソクの場合には、上記の添加剤混合物の添加量を一定量以上（例えば約１％程度）にまでしないと充分な消臭効果が得られず、このような量の添加剤を含んだロウソクは、点火しない時でもロウソク自体が強い芳香臭を発するという問題点があった。
【０００５】
【発明が解決しようとする課題】
そこで、上記実情に鑑み、本発明者らは種々検討を行った結果、ロウソク形成用成分であるパラフィンワックスやステアリン酸に植物精油を添加混合すると、ロウソク自体には強い臭いがないが、ロウソクの炎を消した際に生じる異臭の気散をうまく抑制することができ、これにより、従来のロウソクにおける上述の問題点が解決でき、所期の目的を達成することができることを見い出して本発明を達成した。即ち、本発明は、ロウソク自体には強い臭いがないが、ロウソクの炎を消した際に生じる異臭の気散を抑制することができるロウソク用消臭剤、並びに、このような消臭剤によってロウソクの炎を消した際に優れた消臭効果を発揮し得るロウソクを提供することを課題とする。
【０００６】
【課題を解決するための手段】
本発明のロウソク用消臭剤は、成分ａ：α‐テルピネオール、成分ｂ：フェニルエチルアルコール、成分ｃ：リモネン、成分ｄ：ベンズアルデヒド、成分ｅ：ゲラニオール、及び成分ｆ：サリチル酸メチルを含むことを特徴とする。
又、本発明のロウソク用消臭剤は、前記成分ａ、成分ｂ、成分ｃ、成分ｄ、成分ｅ及び成分ｆが、当該消臭剤中にそれぞれ５〜２５重量％、４〜２４重量％、４〜２０重量％、３〜１５重量％、１〜２０重量％及び３〜１６重量％の重量割合で含有されていることを特徴とするものでもある。
更に、本発明のロウソク用消臭剤は、前記成分ａ〜成分ｆの少なくとも一つとして、植物精油を使用することを特徴とするものでもある。
又、本発明のロウソク用消臭剤は、前記植物精油が、オレンジ油、パイン油、チュベローズ花精油、ビターアーモンド油、ローズ油、アカシア油、シトロネラ油およびジャスミン油からなる群から選択される１種または２種以上であることを特徴とするものである。
【０００７】
又、本発明のロウソク用消臭剤は、保留剤を３〜４０重量％の重量割合にて含むことを特徴とするものである。
更に、本発明のロウソク用消臭剤は、前記保留剤が、フタル酸ジエチル、フタル酸ジメチル、ベンジルベンゾエート及びジプロピルグリコールからなる群より選択されたものであることを特徴とするものである。
又、本発明の低臭気ロウソクは、ロウソクのロウ部分に、上述の消臭剤が配合されていることを特徴とするものである。
以下に本発明を詳細に説明する。
【０００８】
【発明の実施の形態】
本発明のロウソク用消臭剤は、α‐テルピネオール（成分ａ）、フェニルエチルアルコール（成分ｂ）、リモネン（成分ｃ）、ベンズアルデヒド（成分ｄ）、ゲラニオール（成分ｅ）及びサリチル酸メチル（成分ｆ）を含むが、このような消臭剤は、植物精油のみの配合によっても調製することができる。本発明の消臭剤を調製するための植物精油としては、例えば、オレンジ油、パイン油、チュベローズ花精油、ビターアーモンド油、ローズ油、アカシア油（カシー油）、シトロネラ油およびジャスミン油が挙げられる。本発明の消臭剤は、これらの植物精油の中から２種以上を配合して調製することもできる。これらの植物精油は市販製品をそのまま使用できる。
尚、これらの植物精油は、保留剤として、フタル酸ジエチル、フタル酸ジメチル、ベンジルベンゾエート及びジプロピルグリコール等を含んでいても良い。
【０００９】
また、本発明の消臭剤は、２種以上の植物精油のみの配合によって得る場合のみならず、オレンジ油、パイン油、チュベローズ花精油、ビターアーモンド油、ローズ油、アカシア油（カシー油）、シトロネラ油およびジャスミン油から選択される１種又は２種以上の植物精油と、α‐テルピネオール、フェニルエチルアルコール、リモネン、ベンズアルデヒド、ゲラニオールおよびサリチル酸メチルから選択される１種又は２種以上の合成薬品とを混合することによっても調製してもよい。尚、上記成分を含む本発明のロウソク用消臭剤の調製方法は特に限定されるものではない。
【００１０】
有効成分としてのα‐テルピネオールは、本発明の消臭剤中に５〜２５重量％、更には１０〜２０重量％、最適には１５〜１８重量％配合されている。
また、消臭剤中のフェニルエチルアルコールは、４〜２４重量％、更には９〜１９重量％、最適には１２〜１５重量％配合されている。
また、消臭剤中のリモネンは、４〜２０重量％、更には７〜１７重量％、最適には１０〜１７重量％配合されている。
また、消臭剤中のベンズアルデヒドは、３〜１５重量％、更には５〜１５重量％、最適には９〜１５重量％配合されている。
また、消臭剤中のゲラニオールは、１〜２０重量％、更には３〜１８重量％、最適には５〜１６重量％配合されている。
また、消臭剤中のサリチル酸メチルは、３〜１６重量％、更には５〜１６重量％、最適には８〜１６重量％配合されている。
【００１１】
一方、本発明の消臭剤中に前述の保留剤が配合される場合には、３〜４０重量％、更には７〜３８重量％、最適には１２〜３５重量％配合され、この場合、本発明の消臭剤は、前記成分と保留剤を含み、全体が１００重量％となる。
【００１２】
このような１種又は２種以上の植物精油と１種または２種以上の合成薬品との配合による本発明の消臭剤の調製例を以下に示す。
（１）天然精油であるオレンジ油（主成分としてリモネンを含有）１００重量部に対して、合成薬品であるα‐テルピネオールを１３２〜１５８重量部、フェニルエチルアルコールを１１８〜１４０重量部、ベンズアルデヒドを７６〜８４重量部、ゲラニオールを４９〜５７重量部、サリチル酸メチルを６７〜７３重量部、および保留剤を２４０〜３６０重量部配合する。
（２）天然精油であるオレンジ油１００重量部とパイン油１００重量部の混合物に対して、合成薬品であるフェニルエチルアルコールを６８〜８４重量部、ベンズアルデヒドを７５〜８５重量部、ゲラニオールを８０〜９６重量部、サリチル酸メチルを８３〜９３重量部および保留剤を６０〜９０重量部配合する。
【００１３】
本発明の消臭剤をロウソク形成用成分（主にパラフィンワックス、ステアリン酸）に配合して、ロウソクの炎を消した際に生じる異臭の気散を抑制するには、この消臭剤がロウソク中に０．０１〜３重量％の範囲で配合されていることが好ましい。この配合量が０．０１重量％未満になると充分な消臭効果が得られなくなり、逆に配合量が３重量％を越えるとロウソク自体が強い香料臭を発し、消臭効果も弱くなる傾向がある。
【００１４】
前述のロウソク用消臭剤が配合された本発明の低臭気ロウソクを製造するには、ロウソク形成用成分であるパラフィンワックス及びステアリン酸を熔解させ、この中に消臭剤を添加して均一になるまで混練し、ロウソク形成型内に流し込んで冷却後に型から取り出せば良い。
本発明においては、揮発性を有する部分に消臭剤が含まれることが必須であるので、通常に消臭剤を直接配合するが、ロウソクの芯に本発明の消臭剤を含浸させてもよい。この場合、ロウソク製造時に消臭剤がロウ部分に溶出し、ロウソクの炎を消した際には、ロウ部分に消臭剤を添加混合した時と同様の消臭効果が発揮される。
以下に、本発明の実施例を説明する。
【００１５】
【実施例】
一般的なロウソク形成用成分であるパラフィンワックス及びステアリン酸に、下記の表１に記載される消臭剤組成物を各々配合し、通常の方法でロウソクを作製した。この際、配合例１のものについては、消臭剤の添加量を０．１％、０．５％、３．０％に変化させ（実施例１〜３）、配合例２の消臭剤については０．５％添加し（実施例４）、天然のオレンジ油、パイン油を含む配合例２１の消臭剤については０．５％添加し（実施例５）、無添加品を比較例１とし、リモネンだけを含む配合例１２の消臭剤については０．５％添加した（比較例２）。
【００１６】
【表１】
2004115580.tif 000002
【００１７】
尚、α‐テルピネオール、フェニルエチルアルコール、リモネン、ベンズアルデヒド、ゲラニオール、サリチル酸メチルおよびフタル酸ジエチルはいずれも、市販の合成薬品を精製せずにそのまま使用した。
図１は、ロウソクの臭いを捕集して評価するために用いた装置の構成を示す図である。この装置は、図１に示すように、燃焼するロウソクを包囲する円筒部と、円筒部の上端部を覆うロートと、ロートの管部に接続された１０リットルのテトラバックとからなる。ロートとテトラバックとはチューブを介して接続されており、それらの間にはハンドポンプが設けられていて、円筒部内において発生した臭気がテトラバックに採取されるようになっている。
【００１８】
（試験方法）
図１に示される捕集装置において、ロート以降を円筒から取り外し、ロウソク１本を円筒内にセットして燃焼させる。３分間後に炎を消し、素早くロートを被せてハンドポンプを介して消し臭をテトラバックに捕集する。
【００１９】
このようにして採取されたテトラバックの臭気を、表２に記載した官能評価基準に基づいて官能評価に供した。官能評価は、ＴアンドＴオルファクトメーターで合格したパネル６名によって６段階臭気強度表示法で官能評価した。尚、サンプルの調製、測定およびデータ解析は臭気判定士によって総括して実施した。
下記の表２の「６段階臭気強度表示法」の欄に記載されている数値は、６名のパネルによって官能評価された臭気強度の平均値である。
【００２０】
【表２】
2004115580.tif 000003
【００２１】
表２の結果より、本発明の消臭剤を配合してなるロウソク（実施例１及び２）は、消臭剤の配合量が０．１〜０．５％の範囲において優れた消臭効果を示すが、消臭剤の配合量が３．０％になると（実施例３）、消臭効果がやや低下する傾向のあることがわかる。又、配合割合の異なる配合例２の消臭剤も、配合例１の場合と同様の消臭効果を示し（実施例４）、天然のオレンジ油とパイン油とを含む配合例２１の消臭剤は、最も良好な消臭効果を示した（実施例５）。
これに対して、消臭剤を全く含まないロウソク（比較例１）の場合には、消臭効果がないために強烈な臭いが感知され、又、リモネンだけを単独で含むロウソク（比較例２）の場合には、消臭効果が弱いために強い臭いが感知された。
【００２２】
【発明の効果】
以上の実験結果より、本発明の消臭剤をロウソクに配合することにより、強い香料臭を発することなく、炎を消した時に生ずる異臭の気散が抑制できることが分かった。
【図面の簡単な説明】
【図１】本発明によるロウソクの臭いを評価するために用いた臭い捕集装置の概略図である。
【図１】
2004115580.tif 000004